(57)【特許請求の範囲】
【請求項１】
遊技場に設置され、支払代金の対価としての価値であって遊技機による遊技に使用可能な残額価値の大きさを特定可能な情報が記録されている残額価値記録媒体を発行するとともに、前記残額価値から遊技媒体の使用額を引き落として遊技媒体を用いた遊技を提供する遊技用システムであって、
会員が所持する会員用記録媒体の記録情報を読取る会員用記録媒体情報読取手段と、
記録される残額価値の大きさが異なる複数種類の残額価値記録媒体の中から発行する残額価値記録媒体を選択するために操作される残額価値記録媒体選択手段と、
該残額価値記録媒体選択手段により選択された残額価値記録媒体の記録情報により特定される残額価値の所定割合に相当する値を演算する第１演算手段と、
前記残額価値記録媒体の発行に伴ない、前記第１演算手段による演算結果の端数を除外した値を前記遊技場が顧客へのサービスを付与するためのポイントとして、前記会員用記録媒体情報読取手段により読取られた記録情報により特定されるポイントに加算する第１ポイント加算手段と、
前記第１演算手段による演算結果の端数をポイント端数として、前記会員用記録媒体情報読取手段により読取られた記録情報により特定されるポイント端数に加算する第１ポイント端数加算手段と、
前記残額価値記録媒体の記録情報を読取る残額価値記録媒体情報読取手段と、
遊技媒体の使用額を選択するための使用額選択手段と、
該使用額選択手段により選択された使用額の所定割合に相当する値を演算する第２演算手段と、
前記残額価値記録媒体情報読取手段により読取られた記録情報により特定される残額価値から前記使用額を引き落とすことに伴ない、前記第２演算手段による演算結果の端数を除外した値を前記ポイントとして、前記会員用記録媒体情報読取手段により読取られた記録情報により特定されるポイントに加算する第２ポイント加算手段と、
前記第２演算手段による演算結果の端数をポイント端数として、前記会員用記録媒体情報読取手段により読取られた記録情報により特定されるポイント端数に加算する第２ポイント端数加算手段と、
前記会員用記録媒体情報読取手段により読取られた記録情報により特定されるポイント端数が１ポイント相当に達したときに、前記会員用記録媒体情報読取手段により読取られた記録情報により特定されるポイントに１ポイントを加算するとともに前記会員用記録媒体情報読取手段により読取られた記録情報により特定されるポイント端数から１ポイント相当のポイント端数を減算するポイント端数変換手段とを含むことを特徴とする、遊技用システム。
【請求項２】
前記第１演算手段の演算に関わる前記所定割合を可変設定するための第１ポイント割合可変設定手段と、
前記第２演算手段の演算に関わる前記所定割合を可変設定するための第２ポイント割合可変設定手段とをさらに含むことを特徴とする、請求項１に記載の遊技用システム。
【請求項３】
前記会員用記録媒体の記録情報により特定されるポイント総数が所定数に達したか否かを判別する判別手段と、
該判別手段により、前記会員用記録媒体の記録情報により特定されるポイント総数が所定数に達したと判別されたときに、前記残額価値が記録された残額価値記録媒体を発行する発行手段とをさらに含むことを特徴とする、請求項１または請求項２に記載の遊技用システム。
【発明の詳細な説明】
【０００１】
【発明の属する技術分野】
本発明は、遊技場に設置され、支払代金の対価としての価値であって遊技機による遊技に使用可能な残額価値の大きさを特定可能な情報が記録されている残額価値記録媒体を発行するとともに、前記残額価値から遊技媒体の使用額を引き落として遊技媒体を用いた遊技を提供する遊技用システムに関する。
【０００２】
【従来の技術】
この種の遊技用システムにおいて、従来から一般的に知られているものに、たとえば、遊技場に設置され、支払代金の対価としての価値であって遊技機による遊技に使用可能な残額価値の大きさを特定可能な情報が記録されている残額価値記録媒体を発行するとともに、前記残額価値から遊技媒体の使用額を引き落として遊技媒体を用いた遊技を提供する遊技用システムがあった。この種の遊技用システムでは、記録されている残額価値の大きさが異なる複数種類の中から発行すべき残額価値記録媒体を選択するための残額価値記録媒体選択手段が設けられ、支払金額に応じた種類の残額価値記録媒体を遊技者が購入できるように構成されている。
【０００３】
【発明が解決しようとする課題】
一方、遊技場においては、前記残額価値記録媒体の利用を促進して売上を伸ばしたいという要望があった。そこで、たとえば、残額価値記録媒体を購入する毎に遊技者にポイントを付与するように構成することが考えられる。しかしながら、残額価値記録媒体の利用を促進するためには、単に残額価値記録媒体の購入を促進するのみでは不充分であり、残額価値記録媒体の使用をも促進できるようなシステムが望まれる。
【０００４】
そこで、たとえば、遊技に使用可能な所定の有価価値を特定可能な情報が記録された有価価値記録媒体を遊技者が購入したその購入回数あるいはその有価価値記録媒体の使用回数等が所定回数に達した場合にその遊技者に対し遊技場が所定のサービスを付与するようにすることが考えられる。
【０００６】
本発明は、係る実情に鑑み考え出されたものであり、その目的は、残額価値記録媒体の利用を飛躍的に促進できるような遊技用システムを提供することである。
【０００７】
【課題を解決するための手段】
請求項１に記載の本発明は、遊技場に設置され、支払代金の対価としての価値であって遊技機による遊技に使用可能な残額価値の大きさを特定可能な情報が記録されている残額価値記録媒体（共通カード１２５）を発行するとともに、前記残額価値（共通カードに記録された残額）から遊技媒体の使用額（使用額選択ボタン５４によって指定された使用額）を引き落として遊技媒体を用いた遊技を提供する遊技用システムであって、
会員が所持する会員用記録媒体（会員用記録媒体の一例の景品カード１２７（図４参照））の記録情報を読取る会員用記録媒体情報読取手段(ポイントカード挿入／排出口１８０に自己のポイントカード２００を挿入する。また、遊技者が自己のポイントカード２００，２１０にポイントを付してもらいたい場合にはポイントカード２００，２１０をポイントカード挿入／排出口１７０に挿入する必要がある。（８） 景品カード１２７をたとえばＩＣカード化して、景品カード１２７に共通カードの機能とポイントカードの機能を持たせるようにしてもよい。すなわち、共通カード販売機２に残額更新機能を持たせて、景品カード挿入口４２に景品カード１２７を挿入し、紙幣挿入口３２に紙幣を挿入することにより、景品カード１２７の残額を加算更新するようにし、また、景品カード１２７をポイントカード挿入／排出口１７０，１８０に挿入し、景品カード１２７の残額の使用時や残額の前記加算更新時にポイント数を景品カード１２７に加算記憶してもよい。)と、
記録される残額価値の大きさが異なる複数種類の残額価値記録媒体の中から発行する残額価値記録媒体を選択するために操作される残額価値記録媒体選択手段（カード選択ボタン４４：そして投入紙幣に相当する金額が金額／残額表示器２９により表示され、その表示額の範囲内でカード選択ボタン４４を選択操作する。共通カード１２５には、たとえば、１０００円，２０００円，３０００円，５０００円，１００００円の５種類の金額のカードがあり、カード選択ボタン４４を選択して押圧操作することにより前記５種類の共通カード１２５のうち希望する共通カード１２５を指定することができる。…選択された金額の共通カードであると識別された場合に共通カード排出口３６からその共通カード１２５が払出される。その後、釣銭がある場合には紙幣払出し装置４０が作動して紙幣払出口３９から紙幣が利用者に払出される。）と、
該残額価値記録媒体選択手段により選択された残額価値記録媒体の記録情報により特定される残額価値の所定割合に相当する値を演算する第１演算手段（前記共通カード１２５の購入金額に応じたポイントが加算記録されて遊技者に排出される。）と、
前記残額価値記録媒体の発行に伴ない、前記第１演算手段による演算結果の端数を除外した値を前記遊技場が顧客へのサービスを付与するためのポイントとして、前記会員用記録媒体情報読取手段により読取られた記録情報により特定されるポイントに加算する第１ポイント加算手段と（前記共通カード１２５の購入金額に応じたポイントが加算記録されて遊技者に排出される。このポイントの加算記録はポイントカード処理器１８１により行なわれる。この購入額に対し付与されるポイントのレートは、第１実施の形態と同様に、ポイント設定部１８４の設定操作に基づいて決定される。）、
前記第１演算手段による演算結果の端数をポイント端数として、前記会員用記録媒体情報読取手段により読取られた記録情報により特定されるポイント端数に加算する第１ポイント端数加算手段（１ポイントに満たない端数額は、第１実施例と同様に、ポイントカード２００，２１０の磁気ストライプ２０１，２１１のポイント端数領域に記録されて処理される。）と、
前記残額価値記録媒体の記録情報を読取る残額価値記録媒体情報読取手段（また、遊技者が自己のポイントカード２００，２１０にポイントを付してもらいたい場合にはポイントカード２００，２１０をポイントカード挿入／排出口１７０に挿入する必要がある。遊技者が共通カード挿入口５２に共通カード１２５を挿入してポイントカードを挿入／排出口１７０にポイントカード２００を挿入して、カード残額表示器５３で表示されている残額の範囲内でカード式パチンコ機４で使用せんとする金額を使用額選択ボタン５４を操作して指定すれば、…）と、
遊技媒体の使用額を選択するための使用額選択手段（図２の使用額選択ボタン５４：カード残額表示器５３で表示されている残額の範囲内でカード式パチンコ機４で使用せんとする金額を操作して指定すれば、その指定された金額に対応する持点が持点表示器５６に表示されて、打玉を遊技領域に弾発発射する弾球遊技が可能となる。）と、
該使用額選択手段により選択された使用額の所定割合に相当する値を演算する第２演算手段（さらに、使用額選択ボタン５４によって選択された金額に応じたポイントが挿入されたポイントカード２００，２１０に加算更新される。この加算更新は、ポイントカード処理器１７１により行なわれる。この使用額選択ボタン５４によって指定された使用額とそれに応じて加算更新されるポイントとのレートは、ポイント設定部１７２の設定操作に基づいて決定される。たとえば、ポイント設定部１７２を１／５００に設定すれば、共通カード１２５の使用金額が５００円で１ポイント加算更新される状態となる。このポイントカード２００にポイントを加算更新する方法としては、図７に示されたポイントカード２００の可視表示部（サーマルマーク面）に、そのポイント数だけの星印マーク等のポイントマークを新たに記録する。なお、ポイントマークの形をポイント設定部１７２により入力設定できるようにしてもよい。また、ポイントカード２１０の場合もポイント数が可視表示部（磁気表示面）に数字で可視表示される。共通カード１２５の使用金額が１ポイントに相当する額に満たない端数の場合には、その端数金額をポイントカード２００，２１０の磁気ストライプ２０１，２１１のポイント端数領域に加算記録させておき、その加算記録された端数金額が１ポイント分の金額に達した場合に初めて可視表示部（サーマルマーク面）２０２，２１２の表示と磁気ストライプ２０１，２１１のポイント数領域のポイント数を加算更新し、前記磁気ストライプ２０１，２１１のポイント端数領域の記憶金額から１ポイント分の金額を減額更新するようにする。）と、
前記残額価値記録媒体情報読取手段により読取られた記録情報により特定される残額価値から前記使用額を引き落とすことに伴ない、前記第２演算手段による演算結果の端数を除外した値を前記ポイントとして、前記会員用記録媒体情報読取手段により読取られた記録情報により特定されるポイントに加算する第２ポイント加算手段（さらに、使用額選択ボタン５４によって選択された金額に応じたポイントが挿入されたポイントカード２００，２１０に加算更新される。この加算更新は、ポイントカード処理器１７１により行なわれる。この使用額選択ボタン５４によって指定された使用額とそれに応じて加算更新されるポイントとのレートは、ポイント設定部１７２の設定操作に基づいて決定される。たとえば、ポイント設定部１７２を１／５００に設定すれば、共通カード１２５の使用金額が５００円で１ポイント加算更新される状態となる。）、
前記第２演算手段による演算結果の端数をポイント端数として、前記会員用記録媒体情報読取手段により読取られた記録情報により特定されるポイント端数に加算する第２ポイント端数加算手段（共通カード１２５の使用金額が１ポイントに相当する額に満たない端数の場合には、その端数金額をポイントカード２００，２１０の磁気ストライプ２０１，２１１のポイント端数領域に加算記録させておき…ポイントカード２００の磁気ストライプ２０１には、…ポイント数，ポイント端数，…等が記録されている。なお、…ポイント端数とは、前述したように、１ポイントに満たない端数額のことである。）と、
前記会員用記録媒体情報読取手段により読取られた記録情報により特定されるポイント端数が１ポイント相当に達したときに、前記会員用記録媒体情報読取手段により読取られた記録情報により特定されるポイントに１ポイントを加算するとともに前記会員用記録媒体情報読取手段により読取られた記録情報により特定されるポイント端数から１ポイント相当のポイント端数を減算するポイント端数変換手段（加算記録された端数金額が１ポイント分の金額に達した場合に初めて可視表示部（サーマルマーク面）２０２，２１２の表示と磁気ストライプ２０１，２１１のポイント数領域のポイント数を加算更新し、前記磁気ストライプ２０１，２１１のポイント端数領域の記憶金額から１ポイント分の金額を減額更新する。）とを含むことを特徴とする。
【０００８】
請求項２に記載の本発明は、請求項１に記載の発明の構成に加えて、前記第１演算手段の演算に関わる前記所定割合を可変設定するための第１ポイント割合可変設定手段（この購入額に対し付与されるポイントのレートは、第１実施の形態と同様に、ポイント設定部１８４（図９）の設定操作に基づいて決定される。）と、
前記第２演算手段の演算に関わる前記所定割合を可変設定するための第２ポイント割合可変設定手段（さらに、使用額選択ボタン５４によって選択された金額に応じたポイントが挿入されたポイントカード２００，２１０に加算更新される。この加算更新は、ポイントカード処理器１７１により行なわれる。この使用額選択ボタン５４によって指定された使用額とそれに応じて加算更新されるポイントとのレートは、ポイント設定部１７２の設定操作に基づいて決定される。たとえば、ポイント設定部１７２を１／５００に設定すれば、共通カード１２５の使用金額が５００円で１ポイント加算更新される状態となる。）とをさらに含むことを特徴とする。
【０００９】
請求項３に記載の本発明は、請求項１または請求項２に記載の発明の構成に加えて、前記会員用記録媒体の記録情報により特定されるポイント総数が所定数に達したか否かを判別する判別手段（そして、挿入されたポイントカードのポイントが満点になった時点で、所定額（たとえば１０００円）の共通カード１２５が自動的に共通カード販売機２から排出され、…なお、共通カード販売機２に、満点となったポイントカード２００，２１０の精算処理機能をもたせ、その満点となったポイントカード２００，２１０を取り込んで所定額の共通カード（たとえば１０００円カード）を排出するように構成してもよい。）と、
該判別手段により、前記会員用記録媒体の記録情報により特定されるポイント総数が所定数に達したと判別されたときに、前記残額価値が記録された残額価値記録媒体を発行する発行手段とをさらに含む（そして、挿入されたポイントカードのポイントが満点になった時点で、所定額（たとえば１０００円）の共通カード１２５が自動的に共通カード販売機２から排出され、…なお、共通カード販売機２に、満点となったポイントカード２００，２１０の精算処理機能をもたせ、その満点となったポイントカード２００，２１０を取り込んで所定額の共通カード（たとえば１０００円カード）を排出するように構成してもよい。）ことを特徴とする。
【００１２】
【作用】
請求項１に記載の本発明によれば、会員用記録媒体情報読取手段の働きにより、会員が所持する会員用記録媒体の記録情報が読取られる。残額価値記録媒体選択手段により、記録される残額価値の大きさが異なる複数種類の残額価値記録媒体の中から発行する残額価値記録媒体を選択できる。第１演算手段の働きにより、残額価値記録媒体選択手段により選択された残額価値記録媒体の記録情報により特定される残額価値の所定割合に相当する値が演算される。第１ポイント加算手段の働きにより、前記残額価値記録媒体の発行に伴ない、前記第１演算手段による演算結果の端数を除外した値が前記遊技場が顧客へのサービスを付与するためのポイントとして、前記会員用記録媒体情報読取手段により読取られた記録情報により特定されるポイントに加算される。第１ポイント端数加算手段の働きにより、前記第１演算手段による演算結果の端数がポイント端数として、前記会員用記録媒体情報読取手段により読取られた記録情報により特定されるポイント端数に加算される。残額価値記録媒体情報読取手段の働きにより、前記残額価値記録媒体の記録情報が読取られる。使用額選択手段によって、遊技媒体の使用額を選択できる。第２演算手段の働きにより、該使用額選択手段により選択された使用額の所定割合に相当する値が演算される。第２ポイント加算手段の働きにより、前記残額価値記録媒体情報読取手段により読取られた記録情報により特定される残額価値から前記使用額を引き落とすことに伴ない、前記第２演算手段による演算結果の端数を除外した値が前記ポイントとして、前記会員用記録媒体情報読取手段により読取られた記録情報により特定されるポイントに加算される。
【００１３】
請求項２に記載の本発明によれば、請求項１に記載の発明の作用に加えて、第１ポイント割合可変設定手段の働きにより、前記第１演算手段の演算に関わる前記所定割合が可変設定される。第２ポイント割合可変設定手段の働きにより、前記第２演算手段の演算に関わる前記所定割合が可変設定される。
【００１４】
請求項３に記載の本発明によれば、請求項１または請求項２に記載の発明の作用に加えて、判別手段の働きにより、前記会員用記録媒体の記録情報により特定されるポイント総数が所定数に達したか否かが判別される。該判別手段により、前記会員用記録媒体の記録情報により特定されるポイント総数が所定数に達したと判別されたときに、発行手段の働きにより、前記残額価値が記録された残額価値記録媒体が発行される。
【００１７】
【発明の実施の形態】
次に、本発明の実施の形態を図面に基づいて説明する。
【００１８】
第１実施の形態
図１は、本発明に係る遊技用設備装置の全体の概略を示すシステムブロック図である。
【００１９】
図中１２は共通カード発行会社であり、ＣＰＵ，ＲＡＭ，ＲＯＭ等を内蔵するホール別売上集計用の集中管理コンピュータ１３が設置されている。この共通カード発行会社１２からは有価価値記録媒体の一例の共通カード１２５（図３参照）が発行されて各遊技場１，１１…に出荷される。なお、共通カード１２５は共通カード販売機２で販売するときに情報を書込むようにしてもよいし、予め情報を書込んでおくようにしてもよい。各遊技場１，１１…と共通カード発行会社１２の集中管理コンピュータ１３とは各遊技場１，１１…に設置されているターミナルボックス６と通信回線により接続されており、情報の伝達が可能に構成されている。
【００２０】
なお、遊技場１１については、遊技場１と同様の構成を有しているためにここでは、詳細な説明および図示を省略する。
【００２１】
図中１９は有価価値用記録媒体発行センター（会員用記録媒体発行センター）の一例の景品カード発行会社であり、ＣＰＵ，ＲＡＭ，ＲＯＭ等を内蔵する集中管理コンピュータ２０が設置されている。この集中管理コンピュータ２０と各遊技場１，１１…に設置されているターミナルボックス７とが通信回線により接続されており、情報の伝達が可能に構成されている。図中１４，１５は、景品カード発行会社１９に加盟している会員用記録媒体取扱店の一例の加盟店であり、それぞれに、ＣＰＵ，ＲＡＭ，ＲＯＭを内蔵する加盟店用管理コンピュータ１８が設置されている。これらの加盟店用管理コンピュータ１８およびターミナルボックス１７と景品カード発行会社の集中管理コンピュータ２０とが通信回線により接続されており、情報の伝達が可能に構成されている。
【００２２】
図中２１は銀行であり、ＣＰＵ，ＲＡＭ，ＲＯＭ等を内蔵するコンピュータ等からなる中央装置２２が設置されている。この中央装置２２はデータベース２３を含み、このデータベース２３には、各遊技場１，１１や共通カード発行会社１２，景品カード発行会社１９，各加盟店１４，１５等の口座およびそれらの口座に預金されている預金金額等が記憶されている。データベース２３内に図示された記号Ａ，Ｂ，Ｃ，Ｄ，Ｅ，Ｆは、それぞれ共通カード発行会社１２，遊技場１，遊技場１１，加盟店１４，加盟店１５，景品カード発行会社１９のそれぞれの口座を示し、図示された矢印は、ある口座から他の口座に矢印方向に金が移ることを意味している。
【００２３】
共通カード発行会社１２から遊技場１に出荷された共通カード１２５は共通カード販売機２により利用者（遊技者）に販売される。利用者は代金または後述する会員用記録媒体の一例の景品カード１２７（図４参照）を共通カード販売機２に挿入することにより所定の金額が記録された共通カードが付与される。利用者は遊技場に設置されている複数の遊技機の一例のカード式パチンコ機４やカード式スロットマシン５の中から遊技してみたいカード式パチンコ機４やカード式スロットマシン５に対応したカード処理機３ａ，３ｂに前記共通カード１２５を挿入する。そしてその共通カード１２５に記録されている金額を使用してカード式パチンコ機４で打玉を発射して遊技が可能となり、カード式スロットマシン５でリールの回転が開始されて遊技が可能となる。
【００２４】
カード式パチンコ機４やカード式スロットマシン５は、遊技の最中に遊技状態に応じて得点が加算記憶されるように構成されている。なお、この遊技状態に応じて加算記憶される得点を、たとえばホール用管理コンピュータ１０等、遊技機４，５以外の場所で加算記憶するようにしてもよい。そして、遊技が終了すれば、遊技に使用した金額だけ共通カード１２５に記録されている金額が減額更新されてその残額が記録された共通カード１２５が遊技者に払出されるとともに、遊技機による遊技の結果遊技者の所有となる有価価値の一例の前記加算記憶された得点が価値記録媒体の一例の景品カードに記録されて価値記録媒体処理装置の一例の景品カード処理装置９ａ，９ｂから利用者に排出される。利用者は、その排出された景品カード１２７（図４参照）をその景品処理装置８に挿入する。この景品処理装置８では、挿入された景品カードに記録されている有価価値の範囲内で、特殊景品１２９（図５参照）との交換を可能にしたり、一般景品用レシート（図示せず）を発行したりする機能を有する。
【００２５】
さらに、この景品処理装置８は、景品カード１２７を新規発行する機能も有する。この景品カード１２７とは、所定の会員向けに発行される会員用のカードである。発行された一般景品用レシートを利用者がカウンタに持参すればその一般景品用レシートに記録されている交換額の範囲内でタバコやチョコレート等の一般景品との交換が可能に構成されている。なお、一般景品用レシートを発行することなく、景品カードにより直接一般景品との交換ができるようにしてもよい。
【００２６】
遊技場１内に設置された共通カード販売機２，カード処理機３ａ，３ｂ，カード式パチンコ機４，カード式スロットマシン５，景品処理装置８，景品カード処理装置９ａ，９ｂはそれぞれホール用管理コンピュータ１０に接続されており、情報の伝達が可能に構成されている。このホール用管理コンピュータ１０は、ＣＰＵ，ＲＡＭ，ＲＯＭ等を内蔵しており、共通カード販売金額，共通カード使用金額，カード式パチンコ機４やカード式スロットマシン５の利益球数や不利益球数、景品処理装置８によって読取られた持点カードに記録されている有価価値データ，一般景品用レシートを使用しての一般景品の交換額情報，共通カードの増加更新情報，景品カードの新規発行情報，特殊景品の交換額情報等の遊技場から発生する種々の情報を集中管理する。なお、景品処理装置８によって発行された一般景品用レシートは、当該遊技場１でかつ当日限りという条件で景品交換することが可能なものである。利用者に払出された景品カード１２７を共通カード販売機２に挿入して景品カード１２７に記録されている有価価値の範囲内で利用者が共通カード１２５を購入することができる。
【００２７】
遊技場１に設置されている共通カード販売機２の景品カード使用による売上額（販売額）に関する情報がターミナルボックス７を介して通信回線により景品カード発行会社１９の集中管理コンピュータ２０に伝送される。なおこのターミナルボックス７と集中管理コンピュータ２０とは必ずしもオンラインにより接続する必要はなく、共通カード販売額を集計してその集計金額を記載した伝票等を作成し、その伝票等によるオフラインにより共通カード販売額を集中管理コンピュータ２０に入力してもよい。
【００２８】
また、遊技場内に特殊景品交換装置を設け、利用者が排出された特殊景品１２９をこの特殊景品交換装置に挿入することによりその挿入された特殊景品１２９に相当する金額の現金が利用者に払い出されるようにしてもよい。なお、現金の払出しの代わりに利用者の景品カード１２７の残額を増額更新するようにしてもよい。この特殊景品交換装置を設ける場合には、その特殊景品交換装置をターミナルボックスを介して景品カード発行会社１９の集中管理コンピュータ２０に接続し、特殊景品１２９の景品カード発行会社１９への入庫額が集中管理コンピュータ２０に伝送されるように構成するのが望ましい。
【００２９】
なお、この特殊景品交換装置や景品処理装置８を遊技場の外に設けられた景品交換所に設置してもよい。
【００３０】
一方、後述するカタログによる景品交換ではなく実際にこの景品を目で見て確かめて購入したいという利用者は、景品カード１２７を持参して加盟店１４，１５に行き、その景品カード１２７を加盟店１４，１５に設置されている景品カード処理装置１６に挿入し、加盟店１４，１５で販売されている商品やサービス等の販売対象からなる景品で自己の欲するものの種類や個数を景品カード処理装置１６に入力する。するとその入力された景品に相当する金額が景品カード１２７の残額から減算されて減算された後の景品カード１２７が利用者に返却される。このようにして利用者は目で実際に景品を見て確かめて入手することもできる。なお、景品カード発行会社１９の集中管理コンピュータ２０と各加盟店１４，１５に設置されている加盟店用管理コンピュータ１８は必ずしもオンラインにより接続する必要はなく、遊技場１，１１から送信されてきた景品番号や景品個数ならびにその景品番号に対応する利用者の住所，氏名，電話番号等を集計して伝票等に記入し定期的に一括してオフラインにより各加盟店１４，１５に送るようにしてもよい。
【００３１】
特殊景品を現金に交換する特殊景品精算機２４が銀行２１に設置されており、利用者は自己の所有する特殊景品を銀行２１に持参しその特殊景品を銀行２１に設置されている特殊景品精算機２４に挿入して現金に交換することができる。この銀行２１に設置されている特殊景品精算機２４はターミナルボックス２５を介して景品カード発行会社１９の集中管理コンピュータ２０に通信回線で接続されており、特殊景品１２９の交換額がターミナルボックス２５を介して集中管理コンピュータ２０に伝送されるように構成されている。
【００３２】
景品カード発行会社１９の集中管理コンピュータ２０と銀行２１のデータベース２３とが通信回線により接続されており、集中管理コンピュータ２０からデータベース２３に次のような情報が伝送される。すなわち、遊技場１，１１に設けられている景品処理装置８によって増額更新された景品カードの増額更新額情報、遊技場１、１１に設けられている共通カード販売機２を利用して景品カードにより共通カードが販売されたその共通カード売上額情報、各加盟店１４，１５での景品カードを使用した景品の売上額情報（景品交換額情報）等が伝送される。一方、共通カード販売会社１２の集中管理コンピュータ１３からは、遊技場１，１１において販売された共通カード金額の合計と遊技場１、１１で共通カードが使用された使用金額合計との差額情報がデータベース２３に伝送されてくる。
【００３３】
データベース２３で、前記各種伝送されてきた情報に基づいて、各口座間で図示矢印で示した方向に金を移動させる。すなわち、共通カード販売会社の口座Ａと各遊技場の口座Ｃ，Ｂとの間で共通カードの販売金額の合計（カード代金）と共通カード処理機３ａ，３ｂによって使用された共通カードの使用金額合計との差額だけ金を移動させる。遊技場１，１１に設けられている共通カード販売機２を利用して景品カード１２７により販売された共通カード１２５の売上合計金額から手数料を差し引いた金額が景品カード発行会社の口座Ｆから各遊技場１，１１の口座Ｂ，Ｃに移動する。各遊技場１，１１に設けられている景品処理装置８によって増額更新された景品カードの増額更新額と各遊技場１，１１が仕入れた特殊景品１２９の仕入れ代金に対し手数料を上乗せした金額の合計が各遊技場１，１１の口座Ｂ，Ｃから景品カード発行会社１９の口座Ｆに移動する。なお、実際には、口座ＦとＣ，Ｂとの間では、カード増額更新額および特殊景品仕入れ代金（手数料上乗せ）と売上額（手数料差し引く）とが相殺された金額だけが移動するようになる。さらに、各加盟店１４，１５での景品カード１２７を用いた景品の売上額（景品交換額から手数料を差し引いた金額が景品カード発行会社１９の口座Ｆから各加盟店１４，１５の口座Ｄ，Ｅに移動する。
【００３４】
また、遊技場１，１１においては、遊技者が共通カード１２５を使用した場合には、遊技者にサービスとして或る特典が与えられるようになっている。つまり、共通カード１２５を共通カード処理機３ａ，３ｂに挿入して使用した場合には、その使用額に応じたポイントが遊技者所有の消費情報用記録媒体の一例のポイントカード２００（図６参照），２１０（図８参照）に加算更新されるようになっており、そのポイントカード２００，２１０のポイント数がたとえば満点になった場合には、所定額の共通カード１２５と交換できる等のようにポイントカード２００、２１０に所定の付加価値が発生する。なお、このポイントカードを新規入手するにおいては、遊技者が遊技場内のカウンタ等で係員から受け取る。また、共通カード販売機２にポイントカード２００，２１０の新規発行機能を持たせてもよい。
【００３５】
図２は、遊技場の要部および銀行に設けられた特殊景品精算機を示す概略構成図である。
【００３６】
遊技場１に設置されている共通カード販売機２には、紙幣挿入口３２が設けられている。利用者（遊技者）が紙幣を紙幣挿入口３２から挿入することによりその挿入された紙幣が紙幣識別器３３で識別され、偽札等の不正な紙幣であった場合には利用者に返却されるが適正な紙幣であった場合には紙幣収納部３４内に取り込まれる。そして投入紙幣に相当する金額が金額／残額表示器２９により表示され、その表示額の範囲内でカード選択ボタン４４を選択操作する。共通カード１２５には、たとえば、１０００円，２０００円，３０００円，５０００円，１００００円の５種類の金額のカードがあり、カード選択ボタン４４を選択して押圧操作することにより前記５種類の共通カード１２５のうち希望する共通カード１２５を指定することができる。このカード選択ボタン４４を押圧することにより、その押圧操作によって指定された金額の共通カード１２５を共通カード収納部３８から取り出してその取出された共通カード１２５が選択指定された金額の共通カード１２５であるか否かを共通カード処理器３７により識別し、選択された金額の共通カードであると識別された場合に共通カード排出口３６からその共通カード１２５が払出される。その後、釣銭がある場合には紙幣払出し装置４０が作動して紙幣払出口３９から紙幣が利用者に払出される。なお図中４９は制御部であり、共通カード販売機２を制御するためのマイクロコンピュータ等から構成されている。
【００３７】
なお、図中２６は販売機番号表示部であり、この共通カード販売機２の番号が表示される。また２７は販売中表示器、２８は販売中止表示器である、この共通カード販売機２が共通カード１２５を販売している最中では販売中止表示器２８が消灯して販売中表示器２７が点灯表示される。逆にこの共通カード販売機２が販売中でなかった場合には販売中表示器２７が消灯し、販売中止表示器２８が点灯表示される。図中４６は投入紙幣充満表示器であり、紙幣挿入口３２から挿入された紙幣により紙幣収納部３４が満杯になりそれ以上紙幣が挿入できない状態になった場合にこの投入紙幣満杯表示器４６が点灯または点滅表示され、投入紙幣が満杯になった旨を遊技場の係員に表示できるように構成されている。４７は払出紙幣欠乏表示器であり、紙幣払出装置４０によって利用者に払出すために貯留している釣銭紙幣が欠乏した場合にこの払出紙幣欠乏表示器４７が点灯または点滅表示し、その旨を遊技場の係員に報知できるように構成されている。４８は共通カード欠乏表示器であり、遊技者に販売するために貯留している共通カード１２５が欠乏した場合にこの共通カード欠乏表示器４８が点灯または点滅表示され、その旨を遊技場の係員に報知できるように構成されている。
【００３８】
この共通カード販売機２によって販売された共通カード１２５を使用して利用者がパチンコ遊技を行なう場合には、遊技場１のパチンコ機設置島５０に設置されている共通カード処理機３ａの共通カード挿入口５２に共通カード１２５を挿入する。この共通カード処理機３ａは、パチンコ機設置島５０に複数台設置されている各カード式パチンコ機４に隣接して設けられており、それぞれの隣接するカード式パチンコ機４に対応するものである。ゆえに、たとえば図示左側のカード式パチンコ機４によって遊技を行ないたい場合には図示左側のカード式のパチンコ機４に向かって左側に隣接している共通カード処理機３ａの共通カード挿入口５２に共通カード１２５を挿入する必要がある。
【００３９】
また、遊技者が自己のポイントカード２００，２１０にポイントを付してもらいたい場合にはポイントカード２００，２１０をポイントカード挿入／排出口１７０に挿入する必要がある。遊技者が共通カード挿入口５２に共通カード１２５を挿入してポイントカードを挿入／排出口１７０にポイントカード２００を挿入して、カード残額表示器５３で表示されている残額の範囲内でカード式パチンコ機４で使用せんとする金額を使用額選択ボタン５４を操作して指定すれば、その指定された金額に対応する持点が持点表示器５６に表示されて、打玉を遊技領域に弾発発射する弾球遊技が可能となる。そして、共通カード挿入口５２から挿入された共通カード１２５の残額から前記使用額選択ボタン５４によって選択された金額を減算した残金額がカード残額表示器５３により表示される。
【００４０】
さらに、使用額選択ボタン５４によって選択された金額に応じたポイントが挿入されたポイントカード２００，２１０に加算更新される。この加算更新は、ポイントカード処理器１７１により行なわれる。この使用額選択ボタン５４によって指定された使用額とそれに応じて加算更新されるポイントとのレートは、ポイント設定部１７２の設定操作に基づいて決定される。たとえば、ポイント設定部１７２を１／５００に設定すれば、共通カード１２５の使用金額が５００円で１ポイント加算更新される状態となる。このポイントカード２００にポイントを加算更新する方法としては、図７に示されたポイントカード２００の可視表示部（サーマルマーク面）に、そのポイント数だけの星印マーク等のポイントマークを新たに記録する。なお、ポイントマークの形をポイント設定部１７２により入力設定できるようにしてもよい。また、ポイントカード２１０の場合もポイント数が可視表示部（磁気表示面）に数字で可視表示される。共通カード１２５の使用金額が１ポイントに相当する額に満たない端数の場合には、その端数金額をポイントカード２００，２１０の磁気ストライプ２０１，２１１のポイント端数領域に加算記録させておき、その加算記録された端数金額が１ポイント分の金額に達した場合に初めて可視表示部（サーマルマーク面）２０２，２１２の表示と磁気ストライプ２０１，２１１のポイント数領域のポイント数を加算更新し、前記磁気ストライプ２０１，２１１のポイント端数領域の記憶金額から１ポイント分の金額を減額更新するようにする。
【００４１】
ポイントが加算更新されてポイントカード挿入／排出口１７０から排出されたポイントカード２００，２１０が、たとえば５０ポイントに達して満点になった場合には、遊技場内のカウンタ等で所定額の共通カード（１０００円カード）と交換できる。なお、共通カード販売機２に、満点となったポイントカード２００，２１０の精算処理機能をもたせ、その満点となったポイントカード２００，２１０を取り込んで所定額の共通カード（たとえば１０００円カード）を排出するように構成してもよい。また、満点になったポイントカード２００，２１０を、ポイントカード挿入／排出口１７０に挿入することにより、直接遊技機４，５に使用できるようにしてもよい。また、ポイントカード２００，２１０が満点になったときに磁気ストライプ２０１，２１１のフォーマットを共通カード用に書換えるようにし、満点になったポイントカード２００，２１０を共通カードとして共通カード挿入口５２に挿入することにより直接遊技ができるように構成してもよい。
【００４２】
一方弾球遊技に伴なって遊技領域に打込まれたパチンコ球が入賞する等の所定の遊技状態が発生すればその所定の遊技状態の発生に基づいて所定の得点が遊技者に付与されるのであり、その付与される得点がディジタル表示用の持点表示器５６に加算表示される。このように、カード式パチンコ機４には、遊技状態に応じて遊技者に付与される得点を加算記憶する機能を有する。一方、前記弾球遊技に用いられるパチンコ球数に相当する得点が持点表示器５６で表示されている得点から減算されてその減算された後の得点が持点表示器５６によって表示される。また、持点表示器５６により表示される得点は得点レベル表示器５７によりレベル表示される。すなわち、この得点レベル表示器５７は複数の表示器をブロック状に積み重ねて構成されており、得点に応じた数の表示器が点灯してその得点をアナログ的にレベル表示するものである。なお、共通カード処理機３ａにはマイクロコンピュータ等からなる制御部５５が設けられている。この制御部５５により、共通カードの処理ばかりでなくポイントカードの処理も行なわれる。
【００４３】
カード式パチンコ機４の上方には景品カード処理装置９ａが設けられている。遊技者がカード式パチンコ機４に設けられている精算ボタン５８を押圧した場合やカード式パチンコ機４が打止めになった場合には、メッセージ表示器７４により遊技者所有の景品カード１２７を挿入する旨のメッセージ表示が行なわれる。遊技者は、そのメッセージに従って自己が所有する景品カード１２７を景品カード挿入／排出口６９に挿入すると、景品カード処理器７０によりその挿入された景品カード１２７の磁気ストライプ１２８に記録されている記録情報が読取られる。そして、景品カード処理器７０により、読取情報に基づいてその挿入された景品カード１２７が適正な景品カードか否かの判断が行なわれ、不適正な景品カードであった場合にはその原因をメッセージ表示器７４により表示するとともに、挿入された景品カード１２７の排出を行なう。
【００４４】
一方、挿入した景品カード１２７が適正なカードである旨の判定が行なわれた場合には、その景品カード１２７の磁気ストライプ１２８における残額記録領域に記録されている残額に対し、現時点における持点表示器５６により表示されている持点に相当する遊技価値が加算処理され、その加算更新された景品カード１２７が景品カード挿入／排出口６９から遊技者側に排出される。そして、持点表示器５６には持点が「０」となった旨の表示が行なわれる。この段階で、遊技の結果遊技者の所有となった有価価値を景品カード２７に蓄えるいわゆる貯玉が行なわれたことになる。そして、その排出された景品カード１２７は、他の遊技機による遊技や景品交換に使用される。なお、図中７２は台番号表示部であり、この景品カード処理装置９ａに対応するカード式パチンコ機４の台番号が表示される。７３はトラブルボタンであり、カード式パチンコ機４に異常が発生した場合に遊技者によって操作されるものであり、その操作に応じてスピーカ７５により遊技場の係員にトラブルが発生したことが報知される。
【００４５】
遊技者は自己の景品カード１２７に記録されている残額を用いてカード式パチンコ機４により再遊技を行なう場合には、その景品カード１２７を景品カード挿入／排出口６９に挿入する。すると、挿入された景品カード１２７に記録されている記録情報が景品カード処理器７０により読取られ、その景品カード処理器７０により挿入された景品カードの適否が判定される。そして、不適正な景品カードであった場合にはその原因がメッセージ表示器７４で表示されるとともに、挿入された景品カード１２７が排出される。一方、挿入された景品カード１２７が適正なカードであった場合には、メッセージ表示器７４により暗証番号を入力する旨のメッセージが表示される。遊技者がそのメッセージに従って暗証番号を暗証番号／再遊技使用額入力キー７１により暗証番号入力すると、その暗証番号の適否が判定され、不適正な暗証番号であった場合にはメッセージ表示器７４で暗証番号の再入力指示のメッセージが表示される。なお、暗証番号が不適正であった場合にはその時点で挿入された景品カードを回収するようにしてもよい。
【００４６】
一方、入力された暗証番号が適正な番号であった場合には、メッセージ表示器７４で挿入された景品カードに記録されている残額が表示され、遊技者はその残額の範囲内で再遊技使用額を暗証番号／再遊技使用額入力キー７１から入力する。この暗証番号／再遊技使用額入力キー７１には、確認キーも含まれており、遊技者が暗証番号／再遊技使用額入力キー７１により確認キー操作を行なえば、前記使用額＋手数料が残額を越えている場合には、メッセージ表示器７４で再入力を行なう旨のメッセージが表示される。使用額＋手数料が残額以下の場合には、使用額（得点）を得点表示器５６より表示し、残額−（使用額＋手数料）の値をメッセージ表示器７４で表示する。そして、景品カードの残額から（使用額＋手数料）を減算処理し、景品カード１２７の残額をその減算処理された後の値に更新して景品カード挿入／排出口６９からその景品カード１２７を遊技者側に排出する。なお、この際に景品カード１２７を排出することなく装置内に保持したままの状態にしてもよい。なお、この手数料（％）は、景品カード処理装置９に固定的に記憶させておいてもよく、また、変更設定スイッチ等を設けて遊技場の係員が手数料（％）を変更設定できるようにしてもよい。
【００４７】
遊技者がスロットマシン設置島５１に設置されているカード式スロットマシン５により遊技を行なう場合も、前述と同様に共通カード販売機２によって販売された共通カード１２５を共通カード処理機３ｂの共通カード挿入口５２に挿入する。そして前述と同様に、カード残額表示器５３に表示されている残額の範囲内で遊技者が使用額選択ボタン５４を選択操作すると、その選択された使用額に相当する持点が持点表示器６０により表示され、この持点表示器６０により表示されている持点の範囲内で遊技が可能となる。遊技者は、まず持点使用ボタン６２を押圧操作してカード式スロットマシン５による１回の遊技に使用する持点（賭点）を設定入力し、次にスタートボタン６３を押圧操作する。すると、リールが回転を開始し、次に遊技者が複数のリールのそれぞれに対応して設けられているストップボタン６４を押圧操作することにより、それぞれのストップボタンに対応するリールの回転が停止される。そして横３本と斜め対角線上に２本とからなる合計５本の当りライン上において、停止時のリールによって表示される識別情報の組合せが予め定められた特定の識別情報の組合せになれば、所定の得点が加算記憶されて持点表示器６０により加算表示されたり、あるいは、以降のゲームにおいて高確率で得点が与えられるボーナスゲームが発生したりする。このボーナスゲームを行なうことが可能な残り回数がボーナスゲーム残回数表示器６５により表示される。図中６６は払出点数表示器であり、１回のゲームの結果遊技者に付与される得点がこの払出点数表示器６６により表示される。
【００４８】
また、遊技者がカード式スロットマシン５により遊技を行なうべく共通カード１２５を使用し、その使用金額に応じたポイントを自己のポイントカード２００，２１０に加算記憶してもらいたい場合は、前述したカード式パチンコ機４の場合と同様に、ポイントカード挿入／排出口１７０にポイントカード２００，２１０を挿入することにより可能となる。
【００４９】
カード式スロットマシン５の上方にも、カード式パチンコ機４と同様に景品カード処理装置９ｂが設けられており、この景品カード処理装置９ｂにも、景品カード挿入／排出口６９，景品カード処理器７０，暗証番号／再遊技使用額入力キー７１，台番号表示部７２，トラブルボタン７３，メッセージ表示器７４，スピーカ７５が設けられている。そして、前記カード式パチンコ機４について説明したのと同様に、遊技者所有の景品カード１２７を景品カード挿入／排出口６９に挿入して、その景品カードに記録されている残額を使用してカード式スロットマシン５により遊技が可能となる。この景品カード１２７を使用したカード式スロットマシン５の遊技は、前記カード式パチンコ機４の場合とまったく同様であるために、ここでの説明の繰返しは省略する。
【００５０】
前記景品カード処理装置９ａ，９ｂは、ホール用管理コンピュータ１０に持続されているとともに、ターミナルボックス７を介して景品カード発行会社１９の集中管理コンピュータ２０に接続され、景品カード１２７に貯玉した場合や景品カード１２７を用いての遊技が行なわれた場合に、その貯玉額や遊技に使用した使用額がホール用管理コンピュータ１０や景品カード発行会社１９の集中管理コンピュータ２０に送信される。
【００５１】
なお、共通カード処理機３ａ，３ｂと遊技機４，５とを一体に構成するようにしてもよい。また、遊技機４，５と景品カード処理装置９ａ，９ｂとを一体に構成するようにしてもよい。前記共通カード処理機３ａ，３ｂにより、前記有価価値記録媒体の記録情報により特定された有価価値を使用して前記遊技機による遊技を可能にする遊技使用可能化手段が構成されている。この遊技使用可能化手段は、前記遊技機に対応して設けられ、前記有価価値記録媒体の記録情報を読取り、該読取情報に基づいて特定される前記有価価値を前記対応する遊技機により遊技を行なうために直接使用できるように構成されている。なお、共通カード処理機３ａ，３ｂは、遊技機４，５に対応して設けられていれば、遊技機２台に対し共通カード処理機を１台設けて共通カード挿入／排出口を２口設けるようにしてもよい。
【００５２】
前記カード式パチンコ機４やカード式スロットマシン５により遊技を行なった結果遊技者の所有となった有価価値が蓄えられた景品カード１２７は、遊技者によって景品処理装置８の景品カード挿入／排出口７９に挿入される。その挿入された景品カードに記録されている有価価値が景品カード処理器８０により読取られその読取った有価価値が持点表示器９４により表示される。この景品処理装置８では、後述するように景品カード１２７を新規発行したりその読取った有価価値の範囲内で一般景品レシートや特殊景品１２８を払出したりする。
【００５３】
景品処理装置８により新規景品カード１２７を払出す場合には、遊技者に規定の用紙に住所，氏名，電話番号等の必要事項を手書きで記入してもらい、その記入用紙を記入用紙投入口８２に投入してもらう。記入用紙投入口８２に投入された記入用紙は、たとえばＯＣＲ等からなる文字読取装置８３により読取られ、その後記入用紙が用紙収納部８４に収納される。文字読取装置８３で読取った結果識別可能と判断されれば可能な旨の表示をメッセージ表示器９６により表示し、識別不可能であった場合には不能原因をメッセージ表示器９６により表示する。そして、識別可能であった場合には、景品カード登録キー８５を押圧操作する旨の表示をメッセージ表示器９６により表示し、景品カード登録キー８５を遊技者が押圧操作すれば、景品カード収納部８１に収納されている景品カードを１枚取り出して景品カード処理器８０により識別すると共に必要な情報をその景品カード１２７に書込んで景品カード挿入／排出口７９からその景品カード１２７を排出する。
【００５４】
次に、特殊景品１２８を払出す場合には、まず遊技者が景品カード１２７を景品カード挿入／排出口７９に挿入する。すると、暗証番号をテンキー９５から入力する旨の指示がメッセージ表示器９６で表示され、遊技者はそれに従って暗証番号をテンキー９５から入力する。その入力された暗証番号が不適正なものであった場合には再入力の指示がメッセージ表示器９６で表示される。その場合は挿入された景品カード１２７を機内に回収してもよい。一方、入力された暗証番号が適正なものであった場合には、挿入された景品カード１２７の残額が持点表示器９４により表示される。次に、特殊景品払出キー９７，一般景品交換用のレシート払出キー９８，景品番号指定キー１００のいずれかを選択して押圧操作する旨の指示がメッセージ表示器９６により表示される。
【００５５】
遊技者が特殊景品の払出しを希望する場合には特殊景品払出キー９７を押圧操作する。すると、テンキー９５により交換額を入力する旨の指示がメッセージ表示器９６により表示され、遊技者は、その指示に従ってテンキー９５により特殊景品の交換額を入力する。次に、確認キー１０２を押圧操作する旨の指示がメッセージ表示器９６により表示され、遊技者はその指示に従って確認キー１０２を押圧操作する。すると、テンキー９５で入力された金額に相当する特殊景品１２８が特殊景品収納部８８から取出されて特殊景品払出装置８７より特殊景品払出口８６から遊技者側に払出される。その後、レシート発行装置９３により取引内容を記録したレシートが印字されてレシート発行口９２から遊技者側に払出される。
【００５６】
次に、遊技者が一般景品交換用の一般景品用レシートの払出を希望する場合には、前述したメッセージ表示器９６により各操作キー９７，９８，１００のいずれかを選択操作する旨の指示が表示された段階で、遊技者が一般景品用のレシート払出キー９８を押圧操作する。すると、テンキー９５により一般景品用レシートの交換額を入力する旨の表示がメッセージ表示器９６により表示され、遊技者がテンキー９５により希望する一般景品用レシートの交換額を入力する。次に、確認キー１０２を押圧する旨の表示がメッセージ表示器９６により表示され、遊技者が確認キー１０２を押圧操作することにより、レシート発行装置９３から一般景品用レシートが印字されてレシート発行口９２から払出される。そして、前述と同様に取引内容を記録したレシートが発行される。
【００５７】
次に、利用者が自己の景品カード１２７を使用して遊技場のカウンタ等に備えられている景品カードを見てカタログに記載されている景品を入手したい場合には、前述した各種操作キー９７，９８，１００のいずれかを選択操作する旨の指示がメッセージ表示器９６で表示された段階で、遊技者が景品番号指定キー１００を押圧操作する。次に、景品番号をテンキー９５から入力する旨の指示がメッセージ表示器９６で表示され、遊技者は、カタログ等を見て予め決めている希望の景品の景品番号をテンキー９５から入力する。すると、景品個数指定キー１０１を押圧操作する旨の指示がメッセージ表示器９６で表示され、遊技者はそれに従って景品個数指定キー１０１を押圧操作する。次に、希望する景品個数をテンキー９５から入力する旨の指示がメッセージ表示器９６により表示され、遊技者は自己の希望する景品個数をテンキー９５から入力する。次に、確認キー１０２を押圧操作する旨の指示がメッセージ表示器９６で表示され、遊技者がそれに従って確認キー１０２を押圧操作することにより、カタログを利用した景品交換操作が終了する。
【００５８】
次に、前述した特殊景品の払出操作，一般景品用レシートの払出操作，カタログ利用者の景品交換の操作を行なって確認キーを押圧操作した段階で、持点表示器９４により表示されている残額を越える額が前記テンキー９５から入力されていた場合には、再入力の指示がメッセージ表示器９６で表示される。一方、テンキー９５で入力された額が持点表示器９４で表示されている残額以下であった場合にはそのテンキー９５によって入力された額を減額更新した新たな残額が持点表示器９４で表示され、さらに、各種操作キー９７，９８，１００，１０３のいずれかの押圧操作をする旨の指示がメッセージ表示器９６で表示される。利用者が特殊景品払出キー９７，一般景品用のレシート払出器９８，景品番号指定キー１００を押圧操作した場合には、前述した所定の操作を行なうことにより再度特殊景品の払出し，一般景品用レシートの払出し，カタログを利用した景品交換が行なわれる。この特殊景品の払出し，一般景品用レシートの払出し，カタログを利用した景品交換は、持点表示器９４により表示されている残額が残っている限り繰返し行なうことができる。一方、利用者が自己の景品カード１２７に記録されている残額を使用して前述した特殊景品の払出し，一般景品用レシートの払出し，カタログを利用した景品交換を行なって、取引終了キー１０３を押圧操作すれば、特殊景品の払出し，一般景品用レシートの払出し，カタログを利用した景品交換に要した額だけ景品カード１２７に記録されている残額が減額更新される。この減額更新は景品カード処理器８０により行なわれる。そして最終的に前述と同様にレシートが発行される。
【００５９】
この景品処理装置８はターミナルボックス７を介して前述した景品カード発行会社１９の集中管理コンピュータ２０に接続されており、前述した景品カード１２７の新規発行時に入力された利用者の住所，氏名，電話番号等の必要事項に関する情報が景品カード発行会社１９の集中管理コンピュータ２０に伝送される。さらに、前述したテンキー９５から入力された景品番号や景品個数ならびに投入された景品カード１２７のカードナンバー等がこのターミナルボックス７を介して景品カード発行会社１９の集中管理コンピュータ２０に伝送される。集中管理コンピュータ２０では、伝送されてきた利用者の住所，氏名，電話番号等の必要事項をその利用者が所持している景品カード１２７の番号と対応させて記憶しており、景品カード１２７のカード番号が伝送されてくればそのカード番号からその景品カード１２７の所持者の住所，氏名，電話番号等の必要事項を割り出し、その利用者の住所に近い加盟店の加盟店用管理コンピュータに景品番号とその個数情報ならびに景品の送り先である利用者の住所，氏名，電話番号等が送信される。そして、後日その加盟店から利用者の希望する景品が希望する個数だけ利用者に配達される。なお、図中１０４は景品処理装置８を制御するためのマイクロコンピュータ等からなる制御部である。また、７６は装置番号表示部、７７は作動中である旨を表示する作動中表示器、７８は作動を中止している旨を表示する作動中止表示器である。
【００６０】
図中１０はホール用管理コンピュータであり、景品処理装置８，共通カード販売機２，カード式パチンコ機４，カード式スロットマシン５，カード処理機３ａ，３ｂ，持点カード処理器９ａ，９ｂと接続されている。図中１０５はキーボードであり、１０６はＣＲＴディスプレイであり、１０７はプリンターである。また、前記共通カード処理機３ａ，３ｂはターミナルボックス６を介して共通カード発行会社１２の集中管理コンピュータ１３に接続されている。
【００６１】
景品処理装置８から払出された特殊景品を現金に交換したい場合には、利用者は特殊景品１２８を銀行２１にまで持参し、銀行２１に設置されている特殊景品精算機２４の特殊景品投入口１１４から特殊景品１２８を投入する。すると、投入された特殊景品１２８に見合った金額が精算額表示器１２３により表示され、利用者が確認キー１２２を押圧操作すれば、紙幣払出装置１１２が作動して紙幣収納部１１３内の紙幣が紙幣払出口１１１から利用者に払出されると共に、必要に応じて硬貨払出装置１１８が作動して硬貨収納部１１９内の硬貨が硬貨払出口１１７から利用者に払出される。その払出される紙幣や硬貨からなる貨幣の金額は精算額表示器１２３により表示された金額に一致するように制御される。その後レシート発行装置１２１が作動して所定事項が印刷されたレシートがレシート発行口１２０から利用者に発行される。なお図中１２４はマイクロコンピュータ等からなる制御部である。また１０８は精算機番号表示部で、１０９は作動中表示器、１１０は作動中止表示器である。また、この特殊景品精算機２４がターミナルボックス２０を介して景品カード発行会社の集中管理コンピュータ２０に接続されており、特殊景品１２８の景品カード発行会社１９への入庫数が集中管理コンピュータ２０に伝送されるようになっている。
【００６２】
図３は、共通カードに記録されている記録情報を説明するための説明図である。
【００６３】
共通カード１２５の磁気ストライプ１２６には、共通カード１２５の番号であるカード番号，残額情報，カードセキュリティを向上させるためのセキュリティコード等が記録されている。
【００６４】
図４は、景品カードに記録されている記録情報を説明するための説明図である。
【００６５】
景品カード１２７の磁気ストライプ１２８には、この景品カード１２７の使用有効期限を特定するためのカード有効期限，景品カード１２７の番号であるカード番号，残額（残景品金額），景品カード１２７のセキュリティを向上させるためのセキュリティコード等が記録されている。
【００６６】
図５は、特殊景品を示す正面図である。
特殊景品１２９はプレート状の樹脂の一部に磁気ストライプ１３０が形成された磁気カードで構成されている。この磁気ストライプ１３０には、この特殊景品１２９が発行された番号である発行番号，この特殊景品１２９のセキュリティを向上させるためのセキュリティコード等が記録されている。さらに、特殊景品１２９の一部には、その特殊景品１２９の景品価値に見合った値打を有する金のチップ１３１が組込まれている。
【００６７】
図６は、ポイントカードに記録されている記録情報を説明するための説明図である。
【００６８】
ポイントカード２００の磁気ストライプ２０１には、このポイントカード２００の使用有効期限を特定するためのカード有効期限，ポイントカード２００の番号であるカード番号，遊技店コード，ポイント数，ポイント端数，ポイントカード２００のセキュリティを向上させるためのセキュリティコード等が記録されている。なお、遊技店コードとは、このポイントカード２００が使用可能な遊技店を特定する情報である。ポイント端数とは、前述したように、１ポイントに満たない端数額のことである。
【００６９】
図７は、ポイントカード２００の可視表示部を示す正面図である。ポイントカード２００の裏面側には可視表示部（サーマルマーク面）２０２が形成されており、ポイント数が１ポイント増えるごとにこの可視表示部（サーマルマーク面）に星印からなるサーマルマークが１つずつ記録される。また、ポイントカード２００の磁気ストライプ２０１のポイント数を記録する領域にも、この可視表示部２０２と同数のポイントが記録されることになる。
【００７０】
図８は、ポイントカードの他の例を示す正面図である。このポイントカード２１０は、その裏面に磁性層が形成されており、その磁性層には、ポイント数をドットマトリックスで表わす情報が記録される表示用磁気トラック２１３が形成される。そしてその表示用磁気トラック２１３が形成された箇所の表面側には、可視表示部（磁気表示面）が形成されている。この可視表示部２１２内には鉄粉が封入されており、その鉄粉がこぼれないように表面側を透明プレートで覆っている。そしてこの可視表示部２１２の裏面側の表示用磁気トラック２１３は容易に磁化されるように構成されており、その磁化された部分にのみ封入された鉄粉が付着してその付着した鉄粉により可視表示できるように構成されている。そして、このポイントカード２１０の現時点におけるポイント数を表示するように表示用磁気トラック２１３が磁化され、その磁化された部分にのみ鉄粉が付着して現時点におけるポイント数が可視表示部２１２により表示される。このポイントカード２１０の裏面側下方部分には、磁気ストライプ２１１が形成されており、前述のポイントカードと同様に、カード有効期限，カード番号，遊技店コード，ポイント数，ポイント端数，セキュリティコード等が記録される。
【００７１】
第２実施の形態
次に、本発明の第２実施の形態を図９に基づいて説明する。図９は、第１実施の形態における図２に対応するものであり、図２に示された各種装置や部品と同じものについては共通の参照番号を付し、図２と共通する部分についてはここでは説明の繰返しを省略する。
【００７２】
第１実施の形態の場合には、共通カード１２５の使用時にポイントカード２００，２１０にポイントを加算記録するようにしたが、この第２実施の形態においては、遊技者が共通カード１２５を購入したときにその購入金額に相当するポイントをポイントカード２００，２１０に加算記憶するものである。以下具体的に説明する。
【００７３】
共通カード販売機２の紙幣挿入口３２に遊技者が紙幣を挿入すると、その挿入紙幣が紙幣識別器３３で識別され、挿入紙幣が適正な紙幣であった場合にはその挿入紙幣の金額が金額表示器２９で表示される。遊技者は、その金額表示器２９で表示された金額の範囲内で希望する額の共通カード１２５を購入すべくカード選択ボタン４４を押圧操作して購入したい金額のカードを選択する。すると、共通カード排出口３６から共通カード１２５が排出される。そして、遊技者が手持ちのポイントカード２００に共通カードの購入金額に相当するポイントを記録してもらいたい場合には、ポイントカード挿入／排出口１８０に自己のポイントカード２００を挿入する。一方、遊技者がポイントカードを持っていない場合には、新規発行ボタン１８３を押圧操作してポイントカード収納部１８２内のポイントカードを１枚取出して新規に発行してもらう。挿入されたポイントカードまたは新規に発行されるポイントカードに対し、前記共通カード１２５の購入金額に応じたポイントが加算記録されて遊技者に排出される。このポイントの加算記録はポイントカード処理器１８１により行なわれる。この購入額に対し付与されるポイントのレートは、第１実施の形態と同様に、ポイント設定部１８４の設定操作に基づいて決定される。このポイント設定部１８４により設定されたレートはポイント表示器１８５により表示される。また、１ポイントに満たない端数額は、第１実施の形態と同様に、ポイントカード２００，２１０の磁気ストライプ２０１，２１１のポイント端数領域に記録されて処理される。そして、挿入されたポイントカードのポイントが満点になった時点で、所定額（たとえば１０００円）の共通カード１２５が自動的に共通カード販売機２から排出され、ポイントカード２００，２１０が機内に取り込まれる。また、満点を超える場合には、超えた分については新しいポイントカードに書込まれて排出される。なお、ポイントカード２００，２１０を機内に取込む代わりに、精算処理をして遊技者側に返却してもよい。さらに、満点となったポイントカード２００，２１０を遊技者に排出し、その満点のポイントカード２００，２１０を遊技場のカウンタ等において所定額の共通カードと交換するようにしてもよい。
【００７４】
さらに、満点になったポイントカード２００，２１０を使って抽選ゲームを行なわせ、その結果に応じて付加価値の大きさを決めるようにしてもよい。
【００７５】
第１，第２実施の形態とも、共通カードの使用により所定点数を遊技者の得点に加算するようにしたが、実際にパチンコ玉やコイン等の遊技媒体を遊技者に払出し、その払出された遊技媒体を使用して遊技を行なわせるようにしてもよい。また、遊技媒体の貸出しに際し、共通カードに加えて、貨幣の投入により貸出しを受けられるようにしてもよい。さらに、共通カード１２５の購入時と使用時との両方でポイントカードに加算記録してもよい。
【００７６】
次に、本発明の別実施の形態を説明する。
（１）  景品カードに貯玉された有価価値を再遊技に使用する際に所定の制限を設けるようにしてもよい。たとえば、貯玉した遊技場においてのみ再遊技に使用可能として顧客の固定化を図ったり、貯玉した遊技場とその系列店においてのみ再遊技に使用可能としたり、さらには、貯玉した遊技場の属する所定の地域内においてのみ再遊技に使用可能とする。なお、貯玉の再遊技にこのような制限を設ける場合には、景品カード１２７の磁気ストライプ１２８に貯玉を行なった遊技場のコードを記録し、その景品カード１２７の使用時にチェックできるようにする必要がある。景品カード１２７の磁気ストライプ１２８に、さらに再遊技可能残額を記録し、この再遊技可能残額がたとえば最新の貯玉の内容に書換更新されるように構成してもよい。この遊技店コードとその遊技店コードに相当する遊技場等において再遊技が可能な再遊技可能残額との組合せを磁気ストライプ１２８に複数組記録させ、貯玉を行なった複数の遊技場で再遊技できるようにしてもよい。
【００７７】
（２）  景品カードを再遊技に使用する際の前述した手数料をなくしてもよい。また、この手数料を景品カード１２７の磁気ストライプ１２８に記録するようにしてもよい。景品カード１２７の磁気ストライプ１２８に、遊技店コードを記録する領域を設け、再遊技可能残額分の貯玉が行なわれた遊技店のコードすなわち手数料を設定した遊技店のコードを記録してもよい。このようにすれば、他店で再遊技する場合の手数料を順当なものにすることができる。また、手数料を貯玉が行なわれた遊技店の利益とすることも可能であるので、手数料を遊技店が決めかつ再遊技が可能な遊技店に特に制限を設けない場合にも、各遊技店の手数料収入を順当なものにすることができる。
【００７８】
（３）  貯玉を使用して再遊技を行なう際に、必要に応じてある遊技場において１日に使用できる貯玉の使用額に上限を設けてもよい。
【００７９】
（４）  各カード１２５，１２７，２００，２１０において、カード番号，セキュリティコード以外の一部または全部の情報をホール別売上集中管理コンピュータ１３や加盟店別売上・ホール別景品交換集中管理コンピュータ２０あるいはホール用管理コンピュータ１０に記憶させ、前記各カードの使用時にそのカードに記録されている情報と前記管理コンピュータ１３，２０，１０に記憶されているカード情報とを照合していわゆる背番号管理を行なってもよい。
【００８０】
（５）  特殊景品１２９を用いることなく、景品カード１２７の有する有価価値（残額）を直接現金化できるようにしてもよい。
【００８１】
（６）  景品処理装置８を、前述した特殊景品払出機能，一般景品用レシート払出機能，貯玉機能（第２実施の形態の場合），カタログを利用した景品交換機能等の各機能毎に複数の装置に分けて構成してもよい。また、景品処理装置８の操作を遊技店の店員に行なわせるようにしてもよい。
【００８２】
（７）  共通カード販売機２を銀行２１のデータベース２３とオンラインで接続し、キャッシュカードを使用してその共通カード販売機２から共通カード１２５が購入できるようにしてもよい。つまり、キャッシュカードを共通カード販売機２に挿入することにより、そのキャッシュカードに記録されている記録情報に基づいて銀行２１内におけるそのキャッシュカードの使用者の口座を呼出し、その口座内の預金の一部を引落してその引落し額を使用して共通カード販売機２から共通カード１２５を購入するようにしてもよい。
【００８３】
（８）  景品カード１２７をたとえばＩＣカード化して、景品カード１２７に共通カードの機能とポイントカードの機能を持たせるようにしてもよい。すなわち、共通カード販売機２に残額更新機能を持たせて、景品カード挿入口４２に景品カード１２７を挿入し、紙幣挿入口３２に紙幣を挿入することにより、景品カード１２７の残額を加算更新するようにし、また、景品カード１２７をポイントカード挿入／排出口１７０，１８０に挿入し、景品カード１２７の残額の使用時や残額の前記加算更新時にポイント数を景品カード１２７に加算記憶してもよい。
【００８４】
（９）  共通カード処理機３７に景品カードを処理する機能を設けてもよい。その場合に、カード挿入／排出口を、共通カードの挿入／排出口と共通にしてもよいし、別途設けてもよい。
【００８５】
（１０）  ポイントカードによる遊技者へのサービスに対する負担については、各遊技場が負担するようにしてもよいし、共通カード発行会社が負担するようにしてもよい。
【００９０】
【発明の効果】
請求項１に記載の本発明によれば、残額価値記録媒体の購入時のみならず残額価値記録媒体の残額価値の使用時にも遊技者にポイントが付与され、しかも、ポイントの付与時に端数が生じた場合にはそのポイント端数も付与されるために、残額価値記録媒体の利用を飛躍的に促進できる。
【００９１】
請求項２に記載の本発明によれば、請求項１に記載の発明の効果に加えて、ポイント割合を遊技場の都合に合わせて設定できる。
【００９２】
請求項３に記載の本発明によれば、請求項１または請求項２に記載の発明の効果に加えて、会員用記録媒体の記録情報により特定されるポイント総数が所定数に達したと判別されたときに、残額価値が記録された残額価値記録媒体が自動的に発行されるために、ポイント総数が所定数に達しているか否かを逐一確認する必要がなく、遊技者の利便性が向上される。
【図面の簡単な説明】
【図１】  本発明に係る遊技用設備装置の一例の概略を示すシステムブロック図である。
【図２】  遊技場の要部を示す構成図である。
【図３】  共通カードに記録される情報を説明するための説明図である。
【図４】  景品カードに記録される情報を説明するための説明図である。
【図５】  特殊景品を示す正面図である。
【図６】  ポイントカードに記録される情報を説明するための説明図である。
【図７】  ポイントカードの可視表示部（サーマルマーク面）を示す正面図である。
【図８】  ポイントカードの他の例を示す正面図である。
【図９】  第２実施の形態における遊技場の要部を示す構成図である。
【符号の説明】
１は遊技場、２は共通カード販売機、３ａ，３ｂはカード処理機、４はカード式パチンコ遊技機、５はカード式スロットマシン、８は景品処理装置、２００，２１０はポイントカード、１２５は共通カード、５２は共通カード挿入口、１７０，１８０はポイントカード挿入／排出口、５４は使用額選択ボタン、１７２，１８４はポイント設定部、４４はカード選択ボタンである。
【図１】
0003946392.tif 000002
【図２】
0003946392.tif 000003
【図３】
0003946392.tif 000004
【図４】
0003946392.tif 000005
【図５】
0003946392.tif 000006
【図６】
0003946392.tif 000007
【図７】
0003946392.tif 000008
【図８】
0003946392.tif 000009
【図９】
0003946392.tif 000010